(57)【要約】【課題】リテーナが不正な取付け状態となってハウジングから浮き上がったときに、このリテーナの浮き上がり部分への干渉動作を利用してリテーナの不正な取付けを検知するコネクタにおいて、不正な取付け状態のときにリテーナが傾いていても、リテーナの不正な取付け状態を確実に検知する。【解決手段】リテーナ３０は、干渉部３４側の領域と、干渉部３４とは反対側の操作部３５側の領域とが互いに異なる非対称な形態となっている。この形態により、露出部３３に押込み力を付与することに起因してリテーナ３０が姿勢を不正に傾けるときには、リテーナ３０の傾きの方向は、干渉部３４側をハウジング１０の外面１０Ａから浮かせる向きに特定される。【選択図】図４
2010092735.tif 000002
【特許請求の範囲】
【請求項１】
内部に端子金具が挿入されるハウジングと、
前記ハウジング内に押し込まれることにより前記ハウジングの外面に露出する形態で取り付けられ、前記端子金具に係止することにより前記端子金具を抜止めするリテーナと、
前記ハウジングの外面に沿って変位可能な検知部材とを備え、
前記リテーナの前記ハウジングの外面への露出部のうちその長さ方向における一方の端部側の領域が、前記検知部材の変位領域と対応する干渉部となっており、
前記リテーナが前記ハウジングに対して正しく取り付けられた状態では、前記検知部材が前記リテーナと干渉せずに変位することができ、
前記ハウジングに対する前記リテーナの取付けが不正であって前記干渉部が前記ハウジングの外面から浮き上がっているときには、前記検知部材が、その変位の過程で前記干渉部と干渉することにより前記リテーナの不正な取付け状態を検知できるようになっているコネクタにおいて、
前記リテーナは、前記干渉部側の領域と、前記露出部の長さ方向において前記干渉部とは反対側の領域とが互いに異なる非対称な形態となっており、
前記露出部に押込み力を付与することに起因して前記リテーナが姿勢を不正に傾けるときには、前記リテーナの非対称な形態により、前記リテーナの傾きの方向が前記干渉部側を前記ハウジングの外面から浮かせる向きに特定されるようになっていることを特徴とするコネクタ。
【請求項２】
前記リテーナの前記露出部のうちその長さ方向において前記干渉部と反対側の領域は、前記リテーナに押込力を付与するための操作部となっており、
前記操作部は、前記干渉部よりも前記ハウジングの外方へ突出した形態となっていることを特徴とする請求項１記載のコネクタ。
【請求項３】
前記操作部は、前記リテーナが正しく取り付けられた状態において、前記ハウジングの外面よりも突出した形態となることを特徴とする請求項２記載のコネクタ。
【請求項４】
前記操作部には、前記リテーナが正しく取り付けられた状態において前記ハウジングの外面よりも外側に位置し、前記リテーナを前記ハウジングから浮かせる方向へ変位させるための治具の係合を可能とする治具係合部が形成されていることを特徴とする請求項３記載のコネクタ。
【請求項５】
前記ハウジングと前記リテーナには、前記リテーナが反転した不正な向きで前記ハウジングに取り付けられたときに、取付けの途中で互いに干渉する規制部が形成されていることを特徴とする請求項１ないし請求項４のいずれか１項に記載のコネクタ。
【請求項６】
前記リテーナの前記露出部のうちその長さ方向において前記干渉部と反対側の領域は、前記リテーナに押込力を付与するための操作部となっており、
前記リテーナ側の前記規制部は、前記操作部の側縁から突出した形態とされており、
前記規制部の外面は、前記操作部の操作面に対して面一状に連なった形態とされていることを特徴とする請求項５記載のコネクタ。
【請求項７】
前記ハウジングには、相手側コネクタとの嵌合操作力低減のためのレバーが取り付けられており、
前記レバーが、前記検知部材としての機能を兼ね備えていることを特徴とする請求項１ないし請求項６のいずれか１項に記載のコネクタ。
【発明の詳細な説明】
【技術分野】
【０００１】
本発明は、コネクタに関するものである。
【背景技術】
【０００２】
特許文献１には、ハウジング内に端子金具とリテーナを取り付けて、リテーナの係止作用により端子金具を抜止めするとともに、ハウジングに取り付けたレバーのテコ作用を利用して、相手側コネクタとの嵌合を小さい操作力で行うコネクタが開示されている。
【特許文献１】特開平１０−５５８５３号公報
【発明の開示】
【発明が解決しようとする課題】
【０００３】
上記従来のレバー式コネクタは、ハウジングの外面におけるリテーナの露出領域と、レバーの回動領域とがラップした形態となっているのであるが、この種のレバー式コネクタでは、レバーの回動操作を利用して、リテーナがハウジングに対して正しく組み付けられているか否かを検知することが可能である。この場合、リテーナがハウジングに対して正しく組み付けられている場合には、レバーがリテーナと干渉することなく円滑に回動できるのに対し、リテーナがハウジングの外面から浮き上がった不正な取付け状態のときには、レバーが回動過程でリテーナの浮き上がり部分と干渉して円滑な回動を阻害される構造にすればよい。
【０００４】
しかし、レバーの回動領域がリテーナの露出領域の一部のみとラップしている場合には、次のような問題が懸念される。即ち、リテーナの不正な取付け形態としては、リテーナの露出部の全体がハウジングの外面から浮き上がる形態の他に、リテーナが傾いてその露出部の一部のみがハウジングの外面から浮き上がる片効きの形態が考えられる。そして、この片効き形態としては、リテーナがレバーと対応する領域で浮き上がる形態と、リテーナがレバーとは非対応の領域のみで浮き上がる形態とがある。前者の場合は、レバーとリテーナが干渉するので、リテーナの不正な組付け状態を検知できるのであるが、後者の場合は、レバーがリテーナと干渉しないので、リテーナの不正な組付け状態を検知することができない。
【０００５】
本発明は上記のような事情に基づいて完成されたものであって、リテーナが不正な取付け状態となってハウジングから浮き上がったときに、このリテーナの浮き上がり部分に対する干渉動作を利用してリテーナの取付けが不正であることを検知するようにしたコネクタにおいて、不正な取付け状態のときにリテーナが傾いていても、リテーナの不正な取付け状態を確実に検知できるようにすることを目的とする。
【課題を解決するための手段】
【０００６】
上記の目的を達成するための手段として、請求項１の発明は、内部に端子金具が挿入されるハウジングと、前記ハウジング内に押し込まれることにより前記ハウジングの外面に露出する形態で取り付けられ、前記端子金具に係止することにより前記端子金具を抜止めするリテーナと、前記ハウジングの外面に沿って変位可能な検知部材とを備え、前記リテーナの前記ハウジングの外面への露出部のうちその長さ方向における一方の端部側の領域が、前記検知部材の変位領域と対応する干渉部となっており、前記リテーナが前記ハウジングに対して正しく取り付けられた状態では、前記検知部材が前記リテーナと干渉せずに変位することができ、前記ハウジングに対する前記リテーナの取付けが不正であって前記干渉部が前記ハウジングの外面から浮き上がっているときには、前記検知部材が、その変位の過程で前記干渉部と干渉することにより前記リテーナの不正な取付け状態を検知できるようになっているコネクタにおいて、前記リテーナは、前記干渉部側の領域と、前記露出部の長さ方向において前記干渉部とは反対側の領域とが互いに異なる非対称な形態となっており、前記露出部に押込み力を付与することに起因して前記リテーナが姿勢を不正に傾けるときには、前記リテーナの非対称な形態により、前記リテーナの傾きの方向が前記干渉部側を前記ハウジングの外面から浮かせる向きに特定されるようになっているところに特徴を有する。
【０００７】
請求項２の発明は、請求項１に記載のものにおいて、前記リテーナの前記露出部のうちその長さ方向において前記干渉部と反対側の領域は、前記リテーナに押込力を付与するための操作部となっており、前記操作部は、前記干渉部よりも前記ハウジングの外方へ突出した形態となっているところに特徴を有する。
【０００８】
請求項３の発明は、請求項２に記載のものにおいて、前記操作部は、前記リテーナが正しく取り付けられた状態において、前記ハウジングの外面よりも突出した形態となるところに特徴を有する。
【０００９】
請求項４の発明は、請求項３に記載のものにおいて、前記操作部には、前記リテーナが正しく取り付けられた状態において前記ハウジングの外面よりも外側に位置し、前記リテーナを前記ハウジングから浮かせる方向へ変位させるための治具の係合を可能とする治具係合部が形成されているところに特徴を有する。
【００１０】
請求項５の発明は、請求項１ないし請求項４のいずれかに記載のものにおいて、前記ハウジングと前記リテーナには、前記リテーナが反転した不正な向きで前記ハウジングに取り付けられたときに、取付けの途中で互いに干渉する規制部が形成されているところに特徴を有する。
【００１１】
請求項６の発明は、請求項５に記載のものにおいて、前記リテーナの前記露出部のうちその長さ方向において前記干渉部と反対側の領域は、前記リテーナに押込力を付与するための操作部となっており、前記リテーナ側の前記規制部は、前記操作部の側縁から突出した形態とされており、前記規制部の外面は、前記操作部の操作面に対して面一状に連なった形態とされているところに特徴を有する。
【００１２】
請求項７の発明は、請求項１ないし請求項６のいずれかに記載のものにおいて、前記ハウジングには、相手側コネクタとの嵌合操作力低減のためのレバーが取り付けられており、前記レバーが、前記検知部材としての機能を兼ね備えているところに特徴を有する。
【発明の効果】
【００１３】
＜請求項１の発明＞
リテーナが姿勢を不正に傾けるときの傾きの方向は、検知部材の変位領域と対応する干渉部側をハウジングの外面から浮かせる向きに特定される。したがって、リテーナが姿勢を傾けたときには、確実に検知部材を干渉部と干渉させることができる。
【００１４】
＜請求項２の発明＞
操作部は干渉部よりも外方へ突出しているので、リテーナをハウジング内に押し込むときには、作業者は、操作部を押し操作するように誘導され、干渉部を押し操作する可能性が低い。したがって、操作部側が押し込まれずに干渉部側が押し込まれるという形態でリテーナの姿勢が傾くことが防止される。
【００１５】
＜請求項３の発明＞
操作部は、リテーナが正しく取り付けられた状態でもハウジングの外面から突出しているので、取り付ける前の状態や取り付ける途中の状態では、操作部の突出量が大きく、その分、操作部を押し操作し易くなっている。
【００１６】
＜請求項４の発明＞
治具係合部に治具を係合させることにより、リテーナをハウジングから離脱させることができる。操作部がハウジングの外面から突出する形態を利用して、治具を係合し易い治具係合部を形成することができたので、作業性がよい。
【００１７】
＜請求項５の発明＞
ハウジングとリテーナには、規制部が形成されているので、リテーナが反転した不正な向きでハウジングに押し込まれる虞はない。
【００１８】
＜請求項６の発明＞
規制部の外面が、操作部の操作面に対して面一状に連なっているので、この規制部の外面も操作面の一部として機能させることができる。これにより、操作面が広くなり、操作性が向上する。
【００１９】
＜請求項７の発明＞
レバーが検知部材としての機能を兼ね備えているので、レバーと検知部材とを別々の部品とした場合に比べて、部品点数が少なくて済む。
【発明を実施するための最良の形態】
【００２０】
＜実施形態１＞
以下、本発明を具体化した実施形態１を図１乃至図１２を参照して説明する。本実施形態のコネクタは、ハウジング１０と端子金具２０とリテーナ３０とレバー４０（本発明の構成要件である検知部材）とを備えて構成されている。
【００２１】
ハウジング１０は、合成樹脂製であり、端子収容部１１と、端子収容から前方へ突出するフード部１２を一体に形成したものである。端子収容部１１内には、前後方向に貫通する複数のキャビティ１３が形成されている。各キャビティ１３内には後方から端子金具２０が挿入されるようになっている。
【００２２】
端子金具２０は、全体として前後方向に細長く、前端側部分は、図示しない相手側端子との接続手段として機能する細長いタブ２１となっている。端子金具２０の後端部の圧着部２２には、電線２５の前端部が圧着により導通可能に接続されている。この端子金具２０は、後方からキャビティ１３内に挿入され、タブ２１が端子収容部１１の前端面からフード部１２内に突出している。また、端子金具２０のうちタブ２１と圧着部２２との間には、端子本体２３が形成され、端子本体２３の後端縁は、リテーナ３０を係止させるための係止段部２４となっている。
【００２３】
ハウジング１０の端子収容部１１の内部には、その上面１０Ａ（外面）に開口する収容空間１４が形成されている。収容空間１４は、複数のキャビティ１３に連通しており、この収容空間１４内には、上方からリテーナ３０が組み付けられるようになっている。このハウジング１０の上面１０Ａ（外面）における収容空間１４の開口部は、左右方向（ハウジング１０に対する端子金具２０の挿入方向と直角に交差する方向）に細長い方形状をなしている。また、収容空間１４内における左右両端部には、ロック用受け部（図示せず）が形成されている。
【００２４】
また、ハウジング１０の上面１０Ａと下面における収容空間１４よりも前方の位置には、同軸状に突出する一対の支持軸１５が形成されている。さらに、ハウジング１０の上面１０Ａには、収容空間１４の開口縁のうち前縁に沿った位置から上方へ突出する規制用受け部１６（本発明の構成要件である規制部）とガイド突起１７とが、左右に間隔を空けて上方へ突出した形態で形成されている。規制用受け部１６は、左右方向において収容空間１４の開口領域のほぼ中央に位置している。また、規制用受け部１６とガイド突起１７との間には、前後方向に貫通するガイド凹部１８が形成されている。また、ハウジング１０の後端縁には、フランジ状の取付部１９が形成され、取付部１９には、前後方向に貫通する作業孔１９Ｈが形成されている。
【００２５】
リテーナ３０は、合成樹脂製であり、全体として板状をなす。リテーナ３０には、キャビティ１３と対応する複数の貫通孔３１が形成されている。リテーナ３０の左右両端部には、弾性撓み可能な一対のロック部３２が形成されている。ハウジング１０に取り付けられたリテーナ３０は、ロック部３２をハウジング１０のロック用受け部に係止させることにより、仮係止位置と本係止位置のうちいずれか一方の係止位置に保持されるようになっている。また、ロック部３２とロック用受け部の係止力を上回る操作力をリテーナ３０に付与することにより、リテーナ３０を仮係止位置と本係止位置との間で上下方向（端子金具２０の挿入方向と直交する方向であり、且つリテーナ３０の露出部３３の長さ方向と直交する方向）へスライド（移動）し得るようになっている。
【００２６】
リテーナ３０が仮係止位置（図２及び図５を参照）にある状態では、貫通孔３１がキャビティ１３との整合することにより、キャビティ１３に対する端子金具２０の挿入動作及びキャビティ１３からの端子金具２０の抜取り動作が許容される。また、仮係止位置のリテーナ３０は、上方から押し操作して端子収容部１１内に押し込むことにより本係止位置へ移動する。リテーナ３０が本係止位置（図３及び図６を参照）にある状態では、貫通孔３１の開口縁部が端子金具２０の係止段部２４に係止することにより、端子金具２０が抜止め状態に保持される。また、端子金具２０が正規の挿入位置よりも浅い半挿入位置にあるままでリテーナ３０を本係止位置へ押し込もうとした場合には、貫通孔３１の内面が端子本体２３と干渉することによってリテーナ３０の移動が規制されるので、この移動規制によって半挿入状態の端子金具２０が存在することを検知できる。
【００２７】
リテーナ３０の左右方向に長い上端縁部は、リテーナ３０をハウジング１０に取り付けた状態においてハウジング１０の上面１０Ａに露出する露出部３３となっている。この露出部３３のうち正面から見て左半分の領域（露出部３３の長さ方向における左側半分の領域）は干渉部３４となっており、右半分の領域は操作部３５となっている。露出部３３の長さ方向（左右方向）における操作部３５の長さは、干渉部３４の長さよりも少し大きい寸法となっている。操作部３５の上面はリテーナ３０を仮係止位置から本係止位置へ押し込み操作するときに指が宛がわれる操作面３６となっている。この操作面３６は、リテーナ３０の仮係止位置と本係止位置との間の移動方向と直角な平面であり、ハウジング１０の上面１０Ａと平行な平面となっている。この操作部３５は、干渉部３４よりも突出した形態となっている。一方、干渉部３４の上面は、操作面３６と平行であるが、操作部３５に比べて一段低くなっている。このように、リテーナ３０は、干渉部３４側の領域の形状と、露出部３３の長さ方向において干渉部３４とは反対側の操作部３５側の領域の形状とが互いに異なる非対称な形態となっている。
【００２８】
リテーナ３０が仮係止位置にある状態では、干渉部３４の上面は、ハウジング１０の上面１０Ａと平行であるが、ハウジング１０の上面１０Ａよりも高い位置にあり、同様に操作面３６もハウジング１０の上面１０Ａより高い位置にある。リテーナ３０が本係止位置にある状態では、干渉部３４の上面はハウジング１０の上面１０Ａと同じ高さまで下降するが、操作面３６はハウジング１０の上面１０Ａよりも一段高く突出した位置にある。
【００２９】
リテーナ３０の露出部３３には、規制部３７が形成されている。規制部３７は、操作部３５における干渉部３４側の端部から後方へ突出した形態であり、規制部３７の上面は、操作面３６に対して同じ高さで面一状に連なっている。規制部３７の後端部は庇状に突出しており、この庇状の突出部分の下面は、治具係止面３８（本発明の構成要件である治具係止部）となっている。この治具係止面３８は、左右方向において上記作業孔１９Ｈと対応するように位置している。リテーナ３０が本係止位置にある状態では、ハウジング１０の上面１０Ａと治具係止面３８との上下間隔は、ハウジング１０の上面１０Ａから規制用受け部１６の上面までの上下寸法よりも小さい寸法とされている。また、操作部３５の干渉部３４側の端部には、その前面に開口する治具係止孔３９（本発明の構成要件である治具係止部）が形成されている。この治具係止孔３９は、操作部３５の内部と規制部３７の内部とを切欠した形態となっている。この治具係止孔３９は、左右方向においてガイド凹部１８と対応するように位置している。
【００３０】
レバー４０は、図示しない相手側コネクタとの嵌合を小さい操作力によって行うための倍力装置として機能する。レバー４０は、支持部４１の上下両端から一対の板状のアーム部４２を延出させた形態であり、両アーム部４２の軸受孔４３を支持軸１５に嵌合することにより、初期位置と嵌合位置との間で回動し得るようにハウジング１０に取り付けられている。アーム部４２は、ハウジング１０の上面１０Ａと平行な平板状をなし、アーム部４２の内面（ハウジング１０との対向面）には、周知形態のカム溝４４が形成されている。相手側コネクタとの嵌合を行う際には、レバー４０が初期位置にある状態で、相手側コネクタをフード部１２に浅く嵌合することにより、相手側コネクタのカムフォロアをカム溝４４に係合させ、その状態からレバー４０を嵌合位置側へ向けて回動すると、カム溝４４とカムフォロアとの係合によるカム作用により、相手側コネクタがフード部１２内に引き込まれて嵌合されるようになっている。
【００３１】
上下一対のアーム部４２のうち上側のアーム部４２の外周縁には、平面形状が略三角形をなす検知用突部４５が形成されている。この検知用突部４５は、リテーナ３０が仮係止位置にある状態、又はリテーナ３０が不正な姿勢に傾いた状態でレバー４０を初期位置から嵌合位置へ回動させたときに、リテーナ３０の干渉部３４と干渉するようになっている。
【００３２】
レバー４０が初期位置から嵌合位置へ回動するのに伴ってアーム部４２が変位するときに、その変位する過程でアーム部４２がハウジング１０の上面１０Ａに占める変位領域（ハウジング１０の上面１０Ａへの投影領域）は、ハウジング１０の上面１０Ａに露出しているリテーナ３０の露出部３３のうち干渉部３４と対応するが、操作部３５とは対応しない（つまり、操作部３５とは重ならない）。
【００３３】
アーム部４２の変位領域と干渉部３４との位置関係を説明する。図１に示すように、レバー４０が初期位置にある状態では、検知用突部４５を含むアーム部４２の全体がリテーナ３０の露出部３３よりも前方へ離間した位置にある。レバー４０が嵌合位置へ向けて回動を開始すると、アーム部４２のうち検知用突部４５の形成されている縁部（支持軸１５よりも検知用突部４５側の縁部）がリテーナ３０の露出部３３に接近していく。そして、図７に示すように、レバー４０が嵌合位置よりも手前の検知位置に到達すると、検知用突部４５の変位方向前側の縁部がリテーナ３０の露出部３３の前縁と対応（整合）する位置に到達する。このときの左右方向における検知用突部４５の位置は、操作部３５からは外れていて、干渉部３４のみと対応している。この状態から更にレバー４０の回動が進み、図８に示すようにレバー４０が嵌合位置に到達する間、検知用突部４５及びアーム部４２のうち検知用突部４５に連なる部分が、干渉部３４の上方に重なる。
【００３４】
次に、本実施形態の作用を説明する。リテーナ３０が本係止位置まで正しく押し込まれている状態では干渉部３４がハウジング１０の上面１０Ａと同じ高さとなっているので、レバー４０を初期位置から嵌合位置へ向けて回動させたときに、アーム部４２は干渉部３４と干渉することがなく、レバー４０は支障なく嵌合位置へ到達することができる。
【００３５】
また、リテーナ３０が仮係止位置にある状態では、干渉部３４がハウジング１０の上面１０Ａよりも上方の位置にあるので、レバー４０が初期位置から嵌合位置へ向けて回動させると、レバー４０が検知位置に到達したところで、検知用突部４５が干渉部３４の前縁に突き当たり、これにより、レバー４０のそれ以上の回動が規制される。この回動規制状態により、リテーナ３０が本係止位置へ正しく押し込まれていない、ということが検知される。
【００３６】
さて、本実施形態では、リテーナ３０が、干渉部３４側の領域の形状と、露出部３３の長さ方向（左右方向）において干渉部３４とは反対側の操作部３５側の領域の形状とが互いに異なる非対称な形態となっている。つまり、リテーナ３０の露出部３３のうちその長さ方向において干渉部３４と反対側の操作部３５側の領域は、リテーナ３０に押込力を付与するための操作部３５となっていて、この操作部３５は、干渉部３４よりもハウジング１０の外方（上方）へ突出した形態となっている。
【００３７】
このように、操作部３５を干渉部３４よりも外方へ突出した形態としているので、仮係止位置のリテーナ３０を嵌合位置へ移動させるためにハウジング１０内に押し込むときには、作業者は、操作部３５を押し操作するように誘導されるようになり、その結果、干渉部３４を押し操作する可能性が低くなる。したがって、操作部３５側が押し込まれずに干渉部３４側が押し込まれるという形態でリテーナ３０の姿勢が傾く、という虞は殆どない。
【００３８】
上記構成によれば、仮係止位置のリテーナ３０を本係止位置へ押し込む操作に起因して、リテーナ３０が姿勢を不正に傾けることがあった場合、その傾きの方向は、レバー４０の変位領域と対応する干渉部３４側がハウジング１０の上面１０Ａから浮かせる向きに特定される。したがって、リテーナ３０が姿勢を不正に傾けた状態のままで、レバー４０を初期位置から嵌合位置へ向けて回動した場合には、検知用突部４５は確実に干渉部３４と干渉し、リテーナ３０が正しい姿勢で本係止位置へ押し込まれていない、ということが検知される。
【００３９】
また、操作部３５は、リテーナ３０が正しく取り付けられた状態において、ハウジング１０の上面１０Ａよりも突出した形態となているので、リテーナ３０をハウジング１０に取り付ける前の状態や取り付ける途中の状態では、ハウジング１０の上面１０Ａからの操作部３５の突出量が大きく、その分、操作部３５を押し操作し易くなっている。
【００４０】
また、操作部３５に形成した治具係止面３８と治具係止孔３９は、リテーナ３０が本係止位置に正しく取り付けられた状態において、ハウジング１０の前方と後方から細長い治具（図示せず）を係止させることができるようになっている。即ち、ハウジング１０の前方からは、ガイド凹部１８に沿わせた治具を治具係止孔３９に差し入れて係止させることができる。ハウジング１０の後方からは、作業孔１９Ｈを貫通させた治具を治具係止面３８に係止させることができる。このように治具を係止させることにより、本係止位置に保持されているリテーナ３０をハウジング１０から浮かせる方向（仮係止位置）へ変位させることができる。本実施形態では、リテーナ３０が正しく取り付けられた状態において、治具係止面３８と治具係止孔３９の形成母体である操作部３５がハウジング１０の上面１０Ａよりも上方に位置する、という形態を利用し、治具を係止し易い治具係止面３８及び治具係止孔３９を形成することができた。したがって、本実施形態のコネクタ、作業性に優れている。
【００４１】
また、リテーナ３０が左右反転した不正な向きでハウジング１０に取り付けられたときには、取付けの途中で、ハウジング１０の規制用受け部１６とリテーナ３０の規制部３７とが干渉し、規制用受け部１６の上面に治具係止面３８が当接する状態となる。これにより、それ以上のリテーナ３０の取付け動作が規制されるので、リテーナ３０が左右反転した不正な向きでハウジング１０への押し込まれる虞はない。
【００４２】
また、リテーナ３０の規制部３７は、操作部３５の縁部から後方へ突出した形態であり、規制部３７の上面は、操作部３５の操作面３６に対して面一状に連なった形態とされている。これにより、規制部３７の外面も操作面３６の一部として機能させることができるので、操作面３６が広くなり、操作性が向上する。
【００４３】
また、本実施形態では、レバー４０が、リテーナ３０が正しい姿勢で本係止位置へ押し込まれていないことを検知するための検知部材としての機能を兼ね備えているので、レバーと検知部材とを別々の部品とした場合に比べて、部品点数が少なくて済んでいる。
【００４４】
＜他の実施形態＞
本発明は上記記述及び図面によって説明した実施形態に限定されるものではなく、例えば次のような実施態様も本発明の技術的範囲に含まれる。
【００４５】
（１）上記実施形態ではレバーが検知部材としての機能を兼ね備えるようにしたが、レバーと検知部材とを別々の部品としてもよい。
【００４６】
（２）上記実施形態ではリテーナにおける規制部の外面を操作部の外面に対して面一状に連続させたが、規制部の外面は、操作部の操作面に対して段差状に連なっていてもよく、操作面から分離していてもよい。
【００４７】
（３）上記実施形態ではリテーナの露出部のうち操作部を干渉部より少し長い寸法としたが、操作部は、干渉部と同じ長さであってもよく、干渉部よりも短い寸法であってもよい。
【００４８】
（４）上記実施形態では、リテーナが正しく取り付けられた状態において、操作部がハウジングの外面から突出する形態としたが、リテーナが正しく取り付けられた状態において、操作部がハウジングの外面から突出しない形態としてもよい。
【００４９】
（５）上記実施形態ではリテーナの露出部に操作部と干渉部を形成することによってリテーナを非対称な形態としたが、リテーナを非対称な形態にする手段としては、これに限らず、一対のロック部の形状を互いに異なる形態としてもよい。ロック部の形態を異ならせる手段としては、ロック部の形状を変える、ロック部の厚さ寸法を変える、ロック部の幅寸法を変える等の形態が可能である。
【図面の簡単な説明】
【００５０】
【図１】実施形態１においてレバーが初期位置に保持されている状態をあらわす平面図
【図２】リテーナが仮係止位置に保持されている状態をあらわす図１のＸ−Ｘ線断面図
【図３】リテーナが本係止位置に正しく取り付けられた状態をあらわす図１のＸ−Ｘ線断面図
【図４】リテーナが姿勢を傾けて不正に取り付けられている状態をあらわす図１のＸ−Ｘ線断面図
【図５】リテーナが仮係止位置に保持されている状態をあらわす図１のＹ−Ｙ線断面図
【図６】リテーナが本係止位置に正しく取り付けられている状態をあらわす図１のＹ−Ｙ線断面図
【図７】レバーが、初期位置から嵌合位置へ回動する途中で干渉部と干渉している様子をあらわす平面図
【図８】レバーが、干渉部と干渉せずに嵌合位置まで回動した状態をあらわす平面図
【図９】リテーナの正面図
【図１０】リテーナの背面図
【図１１】リテーナの平面図
【図１２】リテーナの側面図
【符号の説明】
【００５１】
１０…ハウジング
１６…規制用受け部（規制部）
２０…端子金具
３０…リテーナ
３３…露出部
３４…干渉部
３５…操作部
３６…操作面
３７…規制部
３８…治具係止面（治具係合部）
３９…治具係止孔（治具係合部
４０…レバー（検知部材）
【図１】
2010092735.tif 000003
【図２】
2010092735.tif 000004
【図３】
2010092735.tif 000005
【図４】
2010092735.tif 000006
【図５】
2010092735.tif 000007
【図６】
2010092735.tif 000008
【図７】
2010092735.tif 000009
【図８】
2010092735.tif 000010
【図９】
2010092735.tif 000011
【図１０】
2010092735.tif 000012
【図１１】
2010092735.tif 000013
【図１２】
2010092735.tif 000014